(57)【特許請求の範囲】
【請求項１】
複数の無線通信装置で無線ネットワークを形成して相互に通信を行う無線通信システムにおいて，
前記各無線通信装置は，
所定の時間でスーパーフレーム周期を規定し，スーパーフレーム内で無線ネットワークにアクセスする領域を予約設定するアクセス設定部を備え，
前記アクセス設定部は，
他の無線通信装置による予約設定と競合しない第１の予約設定方法と，他の無線通信装置による予約設定と競合し得る第２の予約設定方法とのいずれかを選択することを特徴とする，無線通信システム。
【請求項２】
第１の無線通信装置と第２の無線通信装置との間で，前記第１の予約設定方法で通信を行うにあたり，
前記第１の無線通信装置が，前記第２の無線通信装置に対して予約要求をビーコン信号で報知し，
前記第２の無線通信装置が，前記第１の無線通信装置に対して予約要求調整情報をビーコン信号で報知し，
前記第１，第２の無線通信装置が予約要求確定を行うことを特徴とする，請求項１に記載の無線通信システム。
【請求項３】
第１の無線通信装置と第２の無線通信装置との間で，前記第２の予約設定方法で通信を行うにあたり，
前記第１の無線通信装置が，前記第２の無線通信装置からのビーコン信号を受信して，前記第２の無線通信装置の予約設定状況を把握し，
前記第１の無線通信装置が，予約確定した後，予約確定した旨を前記第２の無線通信装置にビーコン信号で報知し，
前記第２の無線通信装置が，前記第１の無線通信装置による予約確定に基づき，予約領域設定を行うことを特徴とする，請求項１に記載の無線通信システム。
【請求項４】
無線ネットワークを形成して他の無線通信装置との間で相互に通信を行う無線通信装置において，
所定の時間でスーパーフレーム周期を規定し，スーパーフレーム内で無線ネットワークにアクセスする領域を予約設定するアクセス設定部と，
前記無線ネットワークにアクセスする領域の予約設定情報を他の無線通信装置に報知するためのビーコン信号を生成するビーコン生成部と，
前記ビーコン信号を解析するビーコン信号解析部と，
を備え，
前記アクセス設定部は，
他の無線通信装置による予約設定と競合しない第１の予約設定方法と，他の無線通信装置による予約設定と競合し得る第２の予約設定方法とのいずれかを選択することを特徴とする，無線通信装置。
【請求項５】
前記アクセス設定部は，前記第１の予約設定方法を選択した際には，
通信を行う他の無線通信装置に対してビーコン信号で予約要求を報知し，
前記他の無線通信装置からの予約要求調整情報を受信した後，予約確定を行うことを特徴とする，請求項４に記載の無線通信装置。
【請求項６】
前記アクセス制御部は，通信を行う他の無線通信装置が特定されている場合に，前記第１の予約設定方法を選択することを特徴とする，請求項４に記載の無線通信装置。
【請求項７】
前記アクセス設定部は，前記第２の予約設定方法を選択した際には，
通信を行う他の無線通信装置の予約設定状況をビーコン信号で把握し，
予約確定した後，予約確定した旨を他の無線通信装置にビーコン信号で報知することを特徴とする，請求項４に記載の無線通信装置。
【請求項８】
コンピュータを，無線ネットワークを形成して他の無線通信装置との間で相互に通信を行う無線通信装置として機能させるためのコンピュータプログラムであって，
前記無線通信装置は，所定の時間でスーパーフレーム周期を規定し，スーパーフレーム内で無線ネットワークにアクセスする領域を予約設定する機能を有し，他の無線通信装置による予約設定と競合しない第１の予約設定方法と，他の無線通信装置による予約設定と競合し得る第２の予約設定方法とのいずれかを選択することを特徴とする，コンピュータプログラム。
【発明の詳細な説明】
【技術分野】
【０００１】
本発明は，無線通信システム，無線通信装置，およびコンピュータプログラムにかかり，特に，事前に予約した帯域でプライオリタイズド・チャネル・アクセス（ＰＣＡ）を行うための無線通信システム，無線通信装置，およびコンピュータプログラムに関する。
【背景技術】
【０００２】
近年，無線を使った小規模なネットワークを構築する方法として，例えば，無線ＬＡＮ（ローカル・エリア・ネットワーク）としてＩＥＥＥ８０２．１１の各方式に準拠した無線通信システムを利用する方法が一般的に用いられていた。また，最近では，ウルトラワイドバンド（ＵＷＢ）通信システムによる無線通信方法が脚光を浴びている。このＵＷＢ通信システムとしては，無線ＬＡＮよりも狭い範囲でネットワークである，パーソナル・エリア・ネットワーク（ＰＡＮ）として，高速無線通信を行う方法が考えられていた。
【０００３】
ＵＷＢ通信システムにおけるパーソナル・エリア・ネットワーク（ＰＡＮ）のアクセス制御方法の１つとして，ディストリビューテッド・メディア・アクセス・コントロール（Distributed MAC）を定義する方法が考えられていた。ディストリビューテッド・メディア・アクセス・コントロール（Distributed
MAC）では，所定のスーパーフレーム周期の中に，メディア・アクセス・スロット（ＭＡＳ）と呼ばれるタイムスロットを配置し，そのＭＡＳを予約して利用を設定する，ディアストリビューテッド・リザベーション・プロトコル（ＤＲＰ）を用いて安定的に通信を行う方法が定義されていた。
【０００４】
さらに，このディストリビューテッド・リザベーション・プロトコル（ＤＲＰ）によれば，通信を行う通信装置がメディアを占有して利用することができるため，安定して通信を行える方法が定義されていた。
【０００５】
一方，ディストリビューテッド・メディア・アクセス・コントロール（Distributed MAC）においては，ディストリビューテッド・リザベーション・プロトコル（ＤＲＰ）による予約を設定せずに通信を行う，プライオリタイズド・チャネル・アクセス（ＰＣＡ）による通信方法も併記されており，ＤＲＰ予約の設定が行われていない領域を用いて簡便に通信を行えるとされていた。
【０００６】
また，特開２００４−１５３５５８号公報によると，画像伝送などの予約通信以外に，ＷＥＢ閲覧など任意の通信のために，競合通信領域（Contention Period：ＣＰ）として，最低限の通信を確保できるように，CP_Min_Durationを設定する方法が開示されている。
【０００７】
【特許文献１】特開２００４−１５３５５８号公報
【発明の開示】
【発明が解決しようとする課題】
【０００８】
ところで，プライオリタイズド・チャネル・アクセス（ＰＣＡ）は，予約されていない領域を用いて通信を行うため，ＤＲＰ予約領域の設定が多数存在すると，満足な通信が行えないという問題があった。
【０００９】
また，ディストリビューテッド・リザベーション・プロトコル（ＤＲＰ）による予約では，通信に先立ち利用する領域を予約することが必要であり，簡便に通信を行う方法を提供することが難しかった。
【００１０】
また，自己のネットワークで，プライオリタイズド・チャネル・アクセス（ＰＣＡ）による通信を安定的に利用を設定していても，他の通信システムや他のネットワークにおいて，ディストリビューテッド・リザベーション・プロトコル（ＤＲＰ）による通信が新たに設定されると，その通信が優先され，ＰＣＡによる通信が不安定になってしまい，最終的に通信が成立しなくなるという問題があった。
【００１１】
また，特開２００４−１５３５５８号公報による，競合通信領域（Ｃｏｎｔｅｎｔｉｏｎ  Ｐｅｒｉｏｄ：ＣＰ）における最低限の通信を確保できるように，ＣＰＭｉｎＤｕｒａｔｉｏｎを設定する方法では，予約領域でないため，他の通信が入り込む余地が残っている。そのため，自己のネットワークでは最低限の通信領域を確保することができるものの，他のネットワークが空間的に隣接して存在した場合，その競合領域における通信が行われてしまう可能性があり，満足な通信領域を確保できないという問題があった。
【００１２】
また，アドホックネットワークにおいて，他の通信システムが存在する空間上で，この通信システムがプライオリタイズド・チャネル・アクセス（ＰＣＡ）を安定的に行う方法の定義が必要であった。
【００１３】
また，安定的にプライオリタイズド・チャネル・アクセス（ＰＣＡ）による通信が行われている場合に，他の通信システムや他のネットワークにおける通信が設定されても，ＰＣＡによる通信が安定的に継続される方法の定義が必要であった。
【００１４】
本発明は，上記の背景技術が有する問題点に鑑みてなされたものであり，本発明の目的は，プライオリタイズド・チャネル・アクセス（ＰＣＡ）を安定的に行うために，ディストリビューテッド・リザベーション・プロトコル（ＤＲＰ）による予約を行った上で，その予約されている領域でＰＣＡによる通信を行うことの可能な，新規かつ改良された無線通信システム，無線通信装置，およびコンピュータプログラムを提供することである。
【課題を解決するための手段】
【００１５】
上記課題を解決するため，本発明の第１の観点によれば，複数の無線通信装置で無線ネットワークを形成して相互に通信を行う無線通信システムが提供される。本発明の無線通信システムにおいて，前記各無線通信装置は，所定の時間でスーパーフレーム周期を規定し，スーパーフレーム内で無線ネットワークにアクセスする領域を予約設定するアクセス設定部（例えば，後述のＭＡＳアクセス設定部８０７）を備え，前記アクセス設定部は，他の無線通信装置による予約設定と競合しない第１の予約設定方法と，他の無線通信装置による予約設定と競合し得る第２の予約設定方法とのいずれかを選択することを特徴とする。
【００１６】
上記において，第１の予約設定方法とは例えば以下のようなものである。第１の無線通信装置と第２の無線通信装置との間で，前記第１の予約設定方法で通信を行うにあたり，前記第１の無線通信装置が，前記第２の無線通信装置に対して予約要求をビーコン信号で報知し，前記第２の無線通信装置が，前記第１の無線通信装置に対して予約要求調整情報をビーコン信号で報知し，前記第１，第２の無線通信装置が予約要求確定を行うことが可能である。
【００１７】
また上記において，第２の予約設定方法とは例えば以下のようなものである。第１の無線通信装置と第２の無線通信装置との間で，前記第２の予約設定方法で通信を行うにあたり，前記第１の無線通信装置が，前記第２の無線通信装置からのビーコン信号を受信して，前記第２の無線通信装置の予約設定状況を把握し，前記第１の無線通信装置が，予約確定した後，予約確定した旨を前記第２の無線通信装置にビーコン信号で報知し，前記第２の無線通信装置が，前記第１の無線通信装置による予約確定に基づき，予約領域設定を行うことが可能である。
【００１８】
かかる無線通信システムによれば，各無線通信装置におけるアクセス設定部は，他の無線通信装置による予約設定と競合しない第１の予約設定方法（例えば，ＤＲＰ）と，他の無線通信装置による予約設定と競合し得る第２の予約設定方法（例えば，ＰＣＡ）とのいずれかを選択することが可能である。そして，第２の予約設定方法でのアクセス制御を行う旨をビーコン信号で報知することにより，他の無線通信装置は，該当する領域で自己の送信を控えるように制御することが可能である。そして，予約領域が到来した場合に，他の無線通信装置よりも優先的に信号を送信することが可能である。このようにして，第１の予約設定方法（例えば，ＤＲＰ）による予約を行った上で，その予約されている領域で第２の予約設定方法（例えば，ＰＣＡ）による通信を安定的に行うことが可能である。
【００１９】
上記課題を解決するため，本発明の第２の観点によれば，無線ネットワークを形成して他の無線通信装置との間で相互に通信を行う無線通信装置が提供される。本発明の無線通信装置は，所定の時間でスーパーフレーム周期を規定し，スーパーフレーム内で無線ネットワークにアクセスする領域を予約設定するアクセス設定部（例えば，後述のＭＡＳアクセス設定部８０７）と，前記無線ネットワークにアクセスする領域の予約設定情報を他の無線通信装置に報知するためのビーコン信号を生成するビーコン生成部（例えば，後述のビーコン生成部８０５）と，前記ビーコン信号を解析するビーコン信号解析部（例えば，後述のビーコン信号解析部８０４）と，を備え，前記アクセス設定部は，他の無線通信装置による予約設定と競合しない第１の予約設定方法と，他の無線通信装置による予約設定と競合し得る第２の予約設定方法とのいずれかを選択することを特徴とする。
【００２０】
上記において，前記アクセス設定部は，前記第１の予約設定方法を選択した際には，通信を行う他の無線通信装置に対してビーコン信号で予約要求を報知し，前記他の無線通信装置からの予約要求調整情報を受信した後，予約確定を行うことが可能である。
【００２１】
また上記において，前記アクセス制御部は，通信を行う他の無線通信装置が特定されている場合に，前記第１の予約設定方法を選択することが可能である。
【００２２】
また上記において，前記アクセス設定部は，前記第２の予約設定方法を選択した際には，通信を行う他の無線通信装置の予約設定状況をビーコン信号で把握し，予約確定した後，予約確定した旨を他の無線通信装置にビーコン信号で報知することが可能である。
【００２３】
かかる無線通信装置によれば，アクセス設定部は，他の無線通信装置による予約設定と競合しない第１の予約設定方法（例えば，ＤＲＰ）と，他の無線通信装置による予約設定と競合し得る第２の予約設定方法（例えば，ＰＣＡ）とのいずれかを選択することが可能である。そして，第２の予約設定方法でのアクセス制御を行う旨をビーコン信号で報知することにより，他の無線通信装置は，該当する領域で自己の送信を控えるように制御することが可能である。そして，予約領域が到来した場合に，他の無線通信装置よりも優先的に信号を送信することが可能である。このようにして，第１の予約設定方法（例えば，ＤＲＰ）による予約を行った上で，その予約されている領域で第２の予約設定方法（例えば，ＰＣＡ）による通信を安定的に行うことが可能である。
【００２４】
また，本発明の他の観点によれば，コンピュータを，上記本発明の第１の観点にかかる無線通信システムを構成する無線通信装置，または，上記本発明の第２の観点にかかる無線通信装置として機能させるためのプログラムと，そのプログラムを記録した，コンピュータにより読み取り可能な記録媒体が提供される。ここで，プログラムはいかなるプログラム言語により記述されていてもよい。また，記録媒体としては，例えば，ＣＤ−ＲＯＭ，ＤＶＤ−ＲＯＭ，フレキシブルディスクなど，プログラムを記録可能な記録媒体として現在一般に用いられている記録媒体，あるいは将来用いられるいかなる記録媒体をも採用することができる。
【発明の効果】
【００２５】
以上のように，本発明によれば，プライオリタイズド・チャネル・アクセス（ＰＣＡ）を安定的に行うために，ディストリビューテッド・リザベーション・プロトコル（ＤＲＰ）による予約を行った上で，その予約されている領域でＰＣＡによる通信を行うことが可能である。
【００２６】
また，本発明のその他の効果を列挙すれば以下の通りである。以下の効果については，後述の発明を実施するための最良の形態にて詳細に説明する。
【００２７】
本発明によれば，ディストリビューテッド・リザベーション・プロトコル（ＤＲＰ）による予約を行った上で，その予約されている領域で，プライオリタイズド・チャネル・アクセス（ＰＣＡ）による通信を，他の通信システムや他のネットワークの通信に妨害されることなく，安定的に行う方法が得られる。
【００２８】
本発明によれば，他のネットワークの通信装置と空間的に隣接して存在する状況でも，他の通信装置のＤＲＰにプロックされることなく，ＰＣＡによる通信を安定的に行う方法が得られる。
【００２９】
本発明によれば，コンテンションベースのアクセス制御を行うための予約を行い，ビーコン信号で事前に報知しておくことで，隠れ端末に対して，コンテンションベースのアクセスの設定を効果的に伝える方法が得られる。
【００３０】
本発明によれば，コンテンションベースのアクセス制御を行うための予約を所定のシーケンスにより設定することによって，一般的な予約伝送のプロトコルよりも容易に設定する方法が得られる。
【００３１】
本発明によれば，事前にビーコン信号で報告された利用可能な時間情報から，通信需要が発生した場合に，受信先通信装置で利用可能な時間を予約することで，短時間のうちに予約を設定することができる。
【００３２】
本発明によれば，コンテンションベースのアクセス制御を行うために，１つのスーパーフレームに限定した予約を一時的に行うことで，無駄な予約の設定が後々まで波及しない，効果的な予約プロトコルが実現できる。
【発明を実施するための最良の形態】
【００３３】
以下に添付図面を参照しながら，本発明にかかる無線通信システム，無線通信装置，およびコンピュータプログラムの好適な実施形態について詳細に説明する。なお，本明細書および図面において，実質的に同一の機能構成を有する構成要素については，同一の符号を付することにより重複説明を省略する。また以下では，無線通信装置のことを単に通信装置ともいう。
【００３４】
（１）無線アドホックネットワークの構成例（図１）
図１に，自律分散制御による無線アドホックネットワーク１００の構成例を示す。図１において，通信装置の電波到達範囲内を破線で示す。
【００３５】
通信装置＃１（１１１）はその電波到達範囲１２１内にある通信装置＃２（１１２）と通信が可能である。通信装置＃２（１１２）は，その電波到達範囲１２２内にある通信装置＃１（１１１），＃３（１１３），＃４（１１４）と通信が可能である。通信装置＃３（１１３）は，その電波到達範囲１２３内にある通信装置＃２（１１２），＃７（１１７），＃８（１１８）と通信が可能である。通信装置＃４（１１４）は，その電波到達範囲１２４内にある通信装置＃２（１１２），＃５（１１５）と通信が可能である。通信装置＃５（１１５）は，その電波到達範囲１２５内にある通信装置＃４（１１４），＃６（１１６），＃７（１１７）と通信が可能である。通信装置＃６（１１６）は，その電波到達範囲内１２６にある通信装置＃５（１１５），＃７（１１７）と通信が可能である。通信装置＃７（１１７）は，その電波到達範囲１２７内にある通信装置＃３（１１３），＃５（１１５），＃６（１１６），＃８（１１８）と通信が可能である。通信装置＃８（１１８）は，その電波到達範囲１２８内にある通信装置＃３（１１３），＃７（１１７）と通信が可能である。
【００３６】
（２）スーパーフレームの構成例（図２）
図２に，スーパーフレームの構成例を示す。図２では，所定の時間でスーパーフレーム周期が定義され，さらにＭＡＳ−０からＭＡＳ−２５５までの２５６個のメディア・アクセス・スロット（ＭＡＳ）に細分化されている状態を示している。スーパーフレーム内には，管理領域としてのビーコン期間と，データ伝送領域が配置されている。
【００３７】
ビーコン期間には，所定の間隔でビーコンスロットが設定されており，通信装置ごとに固有のビーコンスロットを利用して周囲の通信装置との間でパラメータが交換される構成になっている。このビーコン期間の長さは，その時の周囲に存在する通信装置数に依存して，必要な長さが決定される。本実施形態では，ＭＡＳ−０〜ＭＡＳ−３のメディア・アクセス・スロットを用いて，ビーコンスロット＃０（ＢＳ０）〜ビーコンスロット＃１１（ＢＳ１１）までの計１２個が用意されている。
【００３８】
（３）ビーコンスロットの利用設定例（図３）
図３に，ビーコンスロットの利用設定例を示す。図３では，１つのネットワークグループを構成する各通信装置が，周囲の通信装置との間で利用されていないビーコンスロットを通知しあうことで，自己の利用するビーコンスロットを選定した結果を示している。
【００３９】
通信装置＃１はビーコンスロット７（ＢＳ７）で自己のビーコンを送信し，通信装置＃２はビーコンスロット５（ＢＳ５）で自己のビーコンを送信し，通信装置＃３はビーコンスロット９（ＢＳ９）で自己のビーコンを送信し，通信装置＃４はビーコンスロット４（ＢＳ４）で自己のビーコンを送信し，通信装置＃５はビーコンスロット２（ＢＳ２）で自己のビーコンを送信し，通信装置＃６はビーコンスロット６（ＢＳ６）で自己のビーコンを送信し，通信装置＃７はビーコンスロット８（ＢＳ８）で自己のビーコンを送信し，通信装置＃８はビーコンスロット３（ＢＳ３）で自己のビーコンを送信する構成例が示されている。
【００４０】
さらに，ビーコンスロット０（ＢＳ０）とビーコンスロット１（ＢＳ１）とビーコンスロット１０（ＢＳ１０）とビーコンスロット１１（ＢＳ１１）は，このネットワークに新規に参入してくる通信装置の利用のために確保される構成となっている。
【００４１】
また図３には，ＰＣＡ予約の利用設定例が示されている。ここでは，所定のビーコンスロットでのビーコン情報の交換に加え，メディア・アクセス・スロット（ＭＡＳ）ごとにＤＲＰ予約や，ＰＣＡを用いた通信を適宜行う構成について示している。
【００４２】
ＭＡＳ１０１とＭＡＳ１０２では，通信装置＃４と＃５がＤＲＰ予約を行い，通信装置＃４から＃５へ通信を行い，ＭＡＳ１０５とＭＡＳ１０６では通信装置＃１と通信装置＃２がＤＲＰ予約を行い，通信装置＃１から通信装置＃２へ通信を行っている。
【００４３】
また，ＭＡＳ１０９とＭＡＳ１１０では，通信装置＃３から通信装置＃４へＰＣＡによる通信を行い，ＭＡＳ１１１とＭＡＳ１１２では通信装置＃６と通信装置＃７と通信装置＃８がＤＲＰ予約を行い，通信装置＃７から，通信装置＃６と通信装置＃８にマルチキャスト通信を行う構成になっている。
【００４４】
さらに，ＭＡＳ１０３とＭＡＳ１０４では，通信装置＃８から通信装置＃７へＰＣＡによる通信が行われ，ＭＡＳ１０９とＭＡＳ１１０では，通信装置＃３から通信装置＃４へＰＣＡによる通信が行われる構成になっている。
【００４５】
このように，ＤＲＰ予約が行われていないＭＡＳでのみ，ＰＣＡの利用が可能となっており，ＭＡＳのほとんどがＤＲＰによって確保されていると，ＰＣＡによる通信が行えないという問題があった。
【００４６】
図３では，本実施形態にかかるＰＣＡ予約を適用した一例として，ＭＡＳ１０７とＭＡＳ１０８は，事前に予約を設定してＰＣＡによる通信が行われる構成を示している。例えば，通信装置＃５が他の通信装置＃１〜＃４，＃６〜＃８に対して，ＰＣＡによる通信を実施するための設定を行う例が示されている。
【００４７】
なお，このＰＣＡ予約の設定は，通信装置＃５が最初に設定を行うものの，他の通信装置＃１〜＃４，＃６〜＃８も公平に無線伝送路上でＰＣＡによる通信を行う構成になっている。そのため，ＰＣＡ予約を行う場合に，ターゲット／オーナーデバイスアドレス情報に，ブロードキャストを示すアドレスを設定し，他の通信装置も同様に設定を行う構成となっている。このようにＰＣＡ予約を行うことで，ＤＲＰ予約と対等にＰＣＡによる通信を行う領域を確保することが可能となる。なお，ターゲット／オーナーデバイスアドレス情報については，図１２を参照しながら後述する。
【００４８】
（４）ＰＣＡによる通信制御の実施例（図４）
図４は，ＰＣＡによる通信制御の実施例を示した図である。
これは従来からのＰＣＡ通信制御方法として定義されているもので，ＰＣＡとして利用が定義されているＭＡＳ開始位置よりアクセスカテゴリー（０〜７）で示されたＡＩＦＳ［０］からＡＩＦＳ［７］に，バックオフ時間を加算した時間を待って，他の通信が開始されなければ，自己の送信が行える構成になっている。
【００４９】
ここでは，通信装置＃２から通信装置＃３にデータを送信する場合に，アクセスカテゴリーで示されたバックオフ時間＋ＡＩＦＳ時間を待った後，送信要求（ＲＴＳ）を送信する。
【００５０】
この通信装置＃２からのリクエストツーセンド（ＲＴＳ）を受けた通信装置＃３では，ＳＩＦＳ時間経過後に，クリアツーセンド（ＣＴＳ）を返送する。
【００５１】
ここで，通信装置＃２の信号を受け取ることができた通信装置＃１は，ネットワークアロケーションベクター（ＮＡＶ）を設定し，その通信が終了するまで通信を行わない制御を行う。
【００５２】
また，通信装置＃３の信号を受け取ることができた通信装置＃４は，ネットワークアロケーションベクター（ＮＡＶ）を設定し，その通信が終了するまで通信を行わない制御を行う。
【００５３】
こうして，送信元通信装置と受信先通信装置の周囲に伝送路の利用を周知した後，通信装置＃２から通信装置＃３へ，ＳＩＦＳ時間経過後にデータを送信する。
【００５４】
さらに，そのデータの受信が完了した場合に，通信装置＃２から通信装置＃３へ，ＳＩＦＳ時間経過後に受領確認（ＡＣＫ）を返送する。
【００５５】
このように，最初にＲＴＳを出した通信装置＃２から隠れ端末の関係にある通信装置＃４では，通信装置＃３の信号を受けるまでの冗長な時間にわたり，ＰＣＡ通信が開始されることを把握できないという問題があった。
【００５６】
（５）ソフトＤＲＰによる通信制御の実施例（図５）
図５は，ソフトＤＲＰによる通信制御の実施例を示した図である。
これは従来からのソフトＤＲＰ通信制御方法として定義されているもので，ソフトＤＲＰとして利用が定義されているＭＡＳ開始位置より，ＤＲＰの設定がある通信装置だけが，ＡＩＦＳ［０］の時間を待って，他の通信が開始されなければ，自己の送信が行える構成になっている。
【００５７】
ここでは，通信装置＃２から通信装置＃３にデータを送信する場合に，ＡＩＦＳ時間を待った後，送信要求（ＲＴＳ）を送信する。
【００５８】
この通信装置＃２からのリクエストツーセンド（ＲＴＳ）を受けた通信装置＃３では，ＳＩＦＳ時間経過後に，クリアツーセンド（ＣＴＳ）を返送する。
【００５９】
ここで，通信装置＃２の信号を受け取ることができた通信装置＃１は，ネットワークアロケーションベクター（ＮＡＶ）を設定し，その通信が終了するまで通信を行わない制御を行う。
【００６０】
また，通信装置＃３の信号を受け取ることができた通信装置＃４は，ネットワークアロケーションベクター（ＮＡＶ）を設定し，その通信が終了するまで通信を行わない制御を行う。
【００６１】
こうして，送信元通信装置と受信先通信装置の周囲に伝送路の利用を周知した後，通信装置＃２から通信装置＃３へ，ＳＩＦＳ時間経過後にデータを送信する。
【００６２】
さらに，そのデータの受信が完了した場合に，通信装置＃３から通信装置＃２へ，ＳＩＦＳ時間経過後に受領確認（ＡＣＫ）を返送する。
【００６３】
なお，このソフトＤＲＰによる通信制御の終了後は，前述のＰＣＡによる通信制御を行っても良いとされている。
【００６４】
あるいは，周囲の通信装置によってソフトＤＲＰが設定されているＭＡＳでは，ＰＣＡによる通信を行う必要がなければ，通信装置＃１や通信装置＃４では，図中の一点差線にあるように，そのＭＡＳ全体にわたりネットワークアロケーションベクター（ＮＡＶ）を設定し，その通信が終了するまで通信を行わない制御を行う。
【００６５】
あるいは，そのＭＡＳ全体にわたり自己の利用を設定せず，休眠状態として低消費電力動作を行う方法も考えられている。
【００６６】
（６）ハードＤＲＰによる通信制御の実施例（図６）
図６は，ハードＤＲＰによる通信制御の実施例を示した図である。
これは従来からのハードＤＲＰ通信制御方法として定義されているもので，ハードＤＲＰとして利用が定義されているＭＡＳ開始位置より，ＤＲＰの設定がある通信装置だけが，ＳＩＦＳ時間を待って，他の通信が開始されなければ，自己の送信が行える構成になっている。
【００６７】
ここでは，通信装置＃２から通信装置＃３にデータを送信する場合に，ＳＩＦＳ時間を待った後，データを送信する。
【００６８】
さらに，そのデータの受信が完了した場合に，通信装置＃２から通信装置＃３へ，ＳＩＦＳ時間経過後に受領確認（ＡＣＫ）を返送する。
【００６９】
ここで，通信装置＃２と通信装置＃３によって，事前にＤＲＰ予約が設定されていることを把握できた通信装置＃１と通信装置＃４では，そのＭＡＳ全体にわたりネットワークアロケーションベクター（ＮＡＶ）を設定し，その通信が終了するまで通信を行わない制御を行う。
【００７０】
あるいは，そのＭＡＳ全体にわたり自己の利用を設定せず，休眠状態として低消費電力動作を行う方法も考えられている。このように，ＤＲＰの設定があれば，比較的短い待ち時間の後に通信が行えると言うのが特徴になっている。
【００７１】
そのため，ＤＲＰの設定がある通信装置と，ＰＣＡの設定のある通信装置が，同じＭＡＳで送信をはじめると，ＤＲＰの設定のある通信装置の通信が優先して開始されるという問題があった。そこで，ＰＣＡ通信を明確に行うためのＤＲＰ／ＰＣＡ予約の判断基準について説明する。ここでは，バッファに格納されているデータの量や種類（送信の優先順位）を判別し，それぞれの予約を行う構成を例に挙げて説明する。
【００７２】
特定の通信装置宛に多くデータがバッファリングされている場合は，その通信装置宛のＤＲＰ予約を設定し，速やかにバッファリングされているデータを送信する処理を行う。一方，複数の通信装置宛にまんべんなくデータがバッファリングされている場合は，所定のバッファリング量を超過した場合に，ＰＣＡ予約を設定し，優先順位が高位のデータを優先して送信する処理を行う。
【００７３】
（７）ＤＲＰ予約の設定を行う判断条件（図７）
図７は，ＤＲＰ予約の設定を行う判断条件の一例を示した図である。
【００７４】
ここでは，通信装置＃１宛に，優先順位：高のバッファに，送信データ３，６，７，８が格納され，優先順位：低のバッファに，送信データ１，５，９の，合計７個のデータが格納されている状態を示している。
【００７５】
通信装置＃２宛には送信データが格納されていない状態を示している。
【００７６】
通信装置＃３宛に，優先順位：高のバッファに，送信データ２，が格納され，優先順位：低のバッファには送信データが格納されていない状態で，合計１個のデータが格納されている状態を示している。
【００７７】
通信装置＃４宛に，優先順位：高のバッファには送信データが格納されていないが，優先順位：低のバッファに，送信データ４，が格納され，合計１個のデータが格納されている状態を示している。
【００７８】
これより，通信装置＃１あてのデータが，所定のデータ格納数である７個を超過したため，通信装置＃１との間でＤＲＰ予約を設定し，その通信装置宛の通信を優先して行う必要があると判断するものである。
【００７９】
（８）ＰＣＡ予約の設定を行う判断条件（図８）
図８は，ＰＣＡ予約の設定を行う判断条件の一例を示した図である。
【００８０】
ここでは，通信装置＃１宛に，優先順位：高のバッファに，送信データ３，が格納され，優先順位：低のバッファに，送信データ７，８の，合計３個のデータが格納されている状態を示している。
【００８１】
通信装置＃２宛に，優先順位：高のバッファに，送信データ１０，が格納され，優先順位：低のバッファに，送信データ２の，合計２個のデータが格納されている状態を示している。
【００８２】
通信装置＃３宛に，優先順位：高のバッファに，送信データ６，９，が格納され，優先順位：低のバッファに，送信データ１の，合計３個のデータが格納されている状態を示している。
【００８３】
ここでは，通信装置＃４宛に，優先順位：高のバッファに，送信データが格納されていないが，優先順位：低のバッファに，送信データ４，５の，合計２個のデータが格納されている状態を示している。
【００８４】
これより，総数１０個のデータがバッファに格納されて，しかも特定の宛先へのデータが集中していないことを条件として，ＰＣＡ予約を設定し，データの優先度に応じて送信処理を行う必要があると判断するものである。
【００８５】
（９）無線通信装置の構成例（図９）
図９は，本実施形態にかかる無線通信装置の構成例を示した図である。
通信装置装置８００は，図９に示したように，所定の高周波無線信号を無線媒体上に送受信するためのアンテナ８０１と，受信した高周波信号を増幅し受信信号に変換し，送信する信号を増幅し高周波信号に変換する高周波無線処置部８０２と，所望の受信信号を所定の復調処理を施して情報ビットを構築し，送信する情報ビットを変調処理して送信信号する物理層ベースバンド部８０３とを備えている。
【００８６】
この物理層ベースバンド部８０３には，ＣＣＡ検出部（Clear Channel Assessment：キャリア検出部），同期検出部，ヘッダ情報検出部などから構成され，それぞれアクセス制御のために利用される。
【００８７】
通信装置装置８００は，さらに，周囲に存在する通信装置のビーコンを解析するビーコン信号解析部８０４と，自己の送信ビーコンを生成するビーコン生成部８０５と，収集したビーコンに記載される情報と，その通信装置がホストとして動作する時間の情報を格納したパラメータ格納部８０６とを備えている。
【００８８】
本実施形態の特徴として，通信装置装置８００は，所定のメディア・アクセス・スロット（ＭＡＳ）単位で所定のアクセス制御を設定するＭＡＳアクセス設定部８０７を備えている。このＭＡＳアクセス制御部８０７には，ＰＣＡ予約の設定を行うＰＣＡ予約設定部と，ＤＲＰ予約の設定を行うＤＲＰ予約設定部とが含まれる。
【００８９】
また，通信装置装置８００は，ＭＡＳアクセス制御部８０７の指示に従い，所定のアクセス制御方法に基づいて送受信の制御を行う，送受信制御部８０８を備えている。
【００９０】
通信装置装置８００は，さらに，ＲＴＳやＣＴＳなどのアクセス制御信号の送信設定を行う制御信号設定部８０９と，受信したＲＴＳやＣＴＳなどのアクセス制御信号の解析を行う制御信号解析部８１０とを備えている。
【００９１】
通信装置装置８００は，さらに，送信するデータや受信したデータを一時的に格納しておくデータバッファ８１１と，その格納位置を管理するバッファ管理部８１２と，この無線通信装置８００に接続されるアプリケーション機器からの送信データを受け取り，またアプリケーション機器に受信したデータを受け渡す，アプリケーションインタフェース８１３とを備えている。
【００９２】
通信装置装置８００は，さらに，通信装置の動作状況をユーザに表示したり，ユーザから必要な指示を受け付けたりする，ユーザインタフェース８１４と，この無線通信装置８００の一連の動作を管理するために，内部情報として，タイムスロット管理部や，ＭＡＳ利用設定部，予約設定部を備えたＣＰＵ８１５とを備えている。
【００９３】
（１０）アクセスカテゴリーごとのＡＩＦＳ時間の構成例（図１０）
図１０は，アクセスカテゴリーごとのＡＩＦＳ時間の構成例を示した図である。
【００９４】
ここではデータ送受信の最小間隔であるＳＩＦＳ時間と，コンテンションベースのアクセスを行う場合に，それぞれのデータのアクセスカテゴリーによって時間か可変となるＡＩＦＳ時間の関係を図示する。図中，データ送受信の最小間隔であるＳＩＦＳに対して，最低限の冗長な時間を加算したものが，ＡＩＦＳ［０］として設定され，こればアクセスカテゴリー（ＡＣ）が０の場合の送信待ち時間に相当する。
【００９５】
ＡＩＦＳ［０］に更に冗長な時間を加算したものが，ＡＩＦＳ［１］として設定され，こればアクセスカテゴリー（ＡＣ）が１の場合の送信待ち時間に相当する。
【００９６】
ＡＩＦＳ［１］に更に冗長な時間を加算したものが，ＡＩＦＳ［２］として設定され，こればアクセスカテゴリー（ＡＣ）が２の場合の送信待ち時間に相当する。
【００９７】
同様にして，アクセスカテゴリー（ＡＣ）の優先順位に応じて，それぞれに冗長な待ち時間が設定され，ＡＩＦＳ［３］ならアクセスカテゴリー（ＡＣ）が３の場合，ＡＩＦＳ［４］ならアクセスカテゴリー（ＡＣ）が４の場合，ＡＩＦＳ［５］ならアクセスカテゴリー（ＡＣ）が５の場合，ＡＩＦＳ［６］ならアクセスカテゴリー（ＡＣ）が６の場合，ＡＩＦＳ［７］ではアクセスカテゴリー（ＡＣ）が７の場合の送信待ち時間として設定される。
【００９８】
（１１）ビーコンフレームの構成例（図１１）
図１１は，ビーコンフレームの構成例を示した図である。
【００９９】
このビーコンフレームは，スーパーフレームの管理領域であるビーコン期間に各通信装置から送信され，このビーコンフレームを受信することによって，周囲の通信装置との間でパラメータが交換される。
【０１００】
このビーコンフレームの構造は，ＭＡＣヘッダ情報６１と，ヘッダーチェックシーケンス（ＨＣＳ）６２と，ビーコンペイロード情報６３と，フレームチェックシーケンス（ＦＣＳ）６４で構成される。
【０１０１】
さらに，ＭＡＣヘッダ情報６１は，フレーム制御情報６０１と，受信先アドレスである届け先情報６０２と，送信元アドレスである送り元情報６０３と，シーケンス番号などのシーケンス制御情報６０４と，アクセス制御に必要なパラメータが記載されたアクセス制御情報６０５とから構成されている。
【０１０２】
また，ビーコンペイロード情報６３は，通信装置固有のパラメータであるビーコン固有情報６０６と，ビーコンスロット利用を示したビーコン期間利用状況６０７と，通信装置のケーパビリティを示す能力情報６０８と，受信先通信装置に送信するデータが存在することを示す送信表示６０９と，利用可能なＭＡＳ位置を示した利用可能ＭＡＳ情報６１０と，利用を予約されているＭＡＳ位置を報知する予約ＭＡＳ情報６１１などから構成されている。
【０１０３】
なお，ビーコンペイロード情報６３に含まれるこれらの各情報エレメントは，必要に応じて追加，削除が行われてビーコンフレームが構成されてもよい。
【０１０４】
（１２）予約ＭＡＳ情報の構成例（図１２）
図１２は，予約ＭＡＳ情報６１１の構成例を示した図である。
この予約ＭＡＳ情報６１１のエレメントは，予約ＭＡＳ情報エレメントを示すエレメントＩＤ７１と，このエレメントの長さを示す情報長７２と，予約制御情報を示す予約制御情報７３と，予約の対象先通信装置を特定するためのターゲット／オーナーデバイスアドレス７４と，どのＭＡＳが予約されているのかを示す予約割当て情報（１〜Ｎ）７５によって構成される。
【０１０５】
さらにこの予約制御情報７３は，予約の種類を示す予約タイプ７０１と，各予約の優先順位を示す予約優先度７０２と，予約単位を識別するストリームインデックス７０３と，予約の調整過程における理由コード７０４と，現在予約の調整していることを示す予約状態７０５と，オーナーであることを識別するためのオーナー識別７０６と，将来の拡張に用意された未使用７０７などから構成されている。
【０１０６】
また，予約割当て情報（１〜Ｎ）７５は，１６ＭＡＳごとに１つのゾーンを形成した場合，どのゾーンに設定があるかを示すゾーンビットマップ７５１と，そのゾーンにおけるどのＭＡＳに設定があるかを示すＭＡＳビットマップ７５２から構成される。
【０１０７】
（１３）予約タイプの記載内容例（図１３）
図１３は，予約タイプの記載内容例を示した図である。
ここでは，従来からの予約タイプとして，「０：他のビーコン期間」，「１：ハードＤＲＰ予約」，「２：ソフトＤＲＰ予約」，「３：プライベート予約」が存在している。これに，新たに本実施形態に特徴的な，「４：ＰＣＡ予約」を予約タイプとして含む場合の構成例を示している。あるいは，予約タイプとして，「３：プライベート予約」を利用し，その範疇で本実施形態にかかるＰＣＡ予約による通信制御を実現する方法も考えられる。
【０１０８】
（１４）理由コードの記載内容例（図１４）
図１４は，理由コードの記載内容例を示した図である。
これは，現在予約の調整していることを示す予約状態に関連し，その予約の調整過程における理由コードを具体的に示したものである。「０：ＤＲＰ予約の要求が確定した場合
」，「１：ＤＲＰ予約の競合が発生した場合」，「２：ＤＲＰ予約要求の開始」，「３：ＤＲＰ予約要求の破棄」，「４：ＤＲＰ予約要求の調整中」などの状態を表わしている。
【０１０９】
（１５）ＤＲＰ予約の通信シーケンス（図１５）
図１５は，ＤＲＰ予約の通信シーケンスの一例を示した図である。
【０１１０】
まず，インタフェースを介してバッファにデータが格納された後，データ送信要求が無線通信制御部に送られる。ここでデータの受信先通信装置に向けて予約要求の開始を設定し，その旨を記載したビーコンを送信する。ここで無線通信制御部とは，図９に示した装置構成では，送受信制御部８０８等に相当する。
【０１１１】
一方，ビーコンを受信した，データの受信先通信装置では，その予約要求の調整を行い，ＤＲＰ予約の設定が可能なＭＡＳの情報等のパラメータを含んだビーコン信号を送信する。
【０１１２】
さらに，送信元通信装置と受信先通信装置の双方で一致した場合に予約要求が確定し，その利用するＭＡＳの情報などのパラメータを含んだビーコン信号を相互に交換する。
【０１１３】
そして，該当するＭＡＳ位置が到来した場合に，所定のアクセス手順に従って，送信元通信装置から受信先通信装置にデータ伝送が行われる構成になっている。
【０１１４】
データを受信した受信先通信装置では，受信データをバッファに格納するとともに，しかるべきタイミングの到来によりインタフェースを介して出力する構成になっている。
【０１１５】
以降このＤＲＰ予約は，送信元通信装置から受信先通信装置に送信するデータがなくなるまで続けられる。
【０１１６】
（１６）ＰＣＡ予約の通信シーケンス（図１６）
図１６は，ＰＣＡ予約の通信シーケンスの一例を示した図である。
ここでは，事前にビーコン信号の交換によって，利用可能ＭＡＳ情報を交換しておく構成としてある。
【０１１７】
まず，インタフェースを介してバッファにデータが格納された後，データ送信要求が無線通信制御部に送られる。ここで，受信先通信装置の利用可能ＭＡＳ情報を参照して，ＰＣＡ予約を行うＭＡＳを確定するとともに，そのＰＣＡ予約情報等のパラメータを含んだビーコン信号を送信する。
【０１１８】
一方，ビーコンを受信した，データの受信先通信装置では，そのＰＣＡ予約情報等のパラメータを参照し，ＰＣＡ予約が行われるＭＡＳを特定し，受信の設定を行う。
【０１１９】
そして，該当するＭＡＳ位置が到来した場合に，所定のアクセス手順に従って，送信元通信装置から受信先通信装置にデータ伝送が行われる構成になっている。
【０１２０】
データを受信した受信先通信装置では，受信データをバッファに格納するとともに，しかるべきタイミングの到来によりインタフェースを介して出力する構成になっている。
【０１２１】
このＰＣＡ予約は，スーパーフレーム単位で行われるため，次のスーパーフレームでもＰＣＡ予約が必要であれば，その都度，予約の設定をすることで対応する構成となっている。
【０１２２】
（１７）無線通信装置の動作フロー（図１７）
図１７は，無線通信装置の動作フローを示した図である。
【０１２３】
まず無線通信装置は，自身の決めたスーパーフレーム周期の内，ビーコン期間内にあって（Ｓ１０１），かつ送信ビーコンスロット位置が到来すれば（Ｓ１０２），送信すべきビーコンパラメータを獲得し（Ｓ１０３），ビーコンを送信する（Ｓ１０４）。送信ビーコンスロットでなければ，ビーコン受信処理を行い（Ｓ１０５），ビーコンの受信があれば（Ｓ１０６），その受信したビーコンのアラメータを格納する（Ｓ１０７）。
【０１２４】
そして，自己宛ＰＣＡ予約の設定があれば（Ｓ１０８），該当するＭＡＳの受信を設定する（Ｓ１０９）。
【０１２５】
さらに，自己宛ＤＲＰ予約の要求があれば（Ｓ１１０），自己の利用可能なＭＡＳ位置の情報を獲得し（Ｓ１１１），該当するＭＡＳをＤＲＰ予約調整中として設定し（Ｓ１１２），送信ビーコンパラメータとして設定する（Ｓ１２０）。
【０１２６】
また，自己宛ＤＲＰ予約設定中であれば（Ｓ１１３），自己の利用可能なＭＡＳ位置の情報を獲得し（Ｓ１１４），実際にＤＲＰを設定するＭＡＳをＤＲＰ予約確定として登録し（Ｓ１１５），送信ビーコンパラメータとして設定する（Ｓ１２０）。
【０１２７】
あるいは，自己宛ＤＲＰ予約確定であって（Ｓ１１６），自己がオーナーの場合には（Ｓ１１７），該当する予約設定のなされたＭＡＳをＤＲＰ送信ＭＡＳとして設定する（Ｓ１１８）。ターゲットであれば，該当する予約設定のなされたＭＡＳを受信ＭＡＳとして設定し（Ｓ１１９），送信ビーコンパラメータとして設定する（Ｓ１２０）。
【０１２８】
スーパーフレーム周期の内，ＤＲＰ送信ＭＡＳが到来した場合には（Ｓ１２１），該当するＤＲＰのアクセス開始時間を設定する（Ｓ１２２）。
【０１２９】
また，ＰＣＡ予約送信ＭＡＳが到来した場合には（Ｓ１２３），ＰＣＡ予約アクセス開始時間を設定する（Ｓ１２４）。そして，これらのアクセス開始時間の期間内に，他の通信を検出しなければ（Ｓ１２５），データの送信処理を行う（Ｓ１２６）。スーパーフレーム周期の内，受信ＭＡＳが到来した場合には（Ｓ１２７），データの受信処理を設定し（Ｓ１２８），データの受信があれば（Ｓ１２９），データをバッファに格納する（Ｓ１３０）。
【０１３０】
さらにこの受信動作は，該当するＭＡＳが終了するまで繰り返される（Ｓ１３１）。
【０１３１】
また，任意のタイミングにインタフェースでアプリケーションからのデータを受理した場合には（Ｓ１３２），データをバッファに格納する（Ｓ１３３）とともに，ＤＲＰの予約が必要か判断し（Ｓ１３４），必要であれば自己の利用可能なＭＡＳ情報を獲得し（Ｓ１３５），ＤＲＰ予約要求を設定する（Ｓ１３６）。あるいは，ＰＣＡ予約が必要であると判断した場合には（Ｓ１３７），相手先の利用可能なＭＡＳ情報を獲得し（Ｓ１３８），ＰＣＡ予約送信ＭＡＳの設定を行う（Ｓ１３９）。
【０１３２】
これらの処理の後には，Ｓ１０１に戻り一連の動作を繰り返す構成となっている。
【０１３３】
以上，本実施形態にかかる無線通信装置の構成および動作について説明した。かかる無線通信装置は，コンピュータに上記機能を実現するためのコンピュータプログラムを組み込むことで，コンピュータを無線通信装置として機能させることが可能である。かかるコンピュータプログラムは，所定の記録媒体（例えば，ＣＤ−ＲＯＭ）に記録された形で，あるいは，電子ネットワークを介したダウンロードの形で市場を流通させることが可能である。
【０１３４】
（本実施形態の効果）
以上説明したように，本実施形態によれば，以下のような優れた効果が得られる。
【０１３５】
プライオリタイズド・チャネル・アクセス（ＰＣＡ）を安定的に行うために，ディストリビューテッド・リザベーション・プロトコル（ＤＲＰ）による予約を行った上で，その予約されている領域でＰＣＡによる通信を行うことが可能である。
【０１３６】
ディストリビューテッド・リザベーション・プロトコル（ＤＲＰ）による予約を行った上で，その予約されている領域で，プライオリタイズド・チャネル・アクセス（ＰＣＡ）による通信を，他の通信システムや他のネットワークの通信に妨害されることなく，安定的に行う方法が得られる。
【０１３７】
他のネットワークの通信装置と空間的に隣接して存在する状況でも，他の通信装置のＤＲＰにプロックされることなく，ＰＣＡによる通信を安定的に行う方法が得られる。
【０１３８】
コンテンションベースのアクセス制御を行うための予約を行い，ビーコン信号で事前に報知しておくことで，隠れ端末に対して，コンテンションベースのアクセスの設定を効果的に伝える方法が得られる。
【０１３９】
コンテンションベースのアクセス制御を行うための予約を所定のシーケンスにより設定することによって，一般的な予約伝送のプロトコルよりも容易に設定する方法が得られる。
【０１４０】
事前にビーコン信号で報告された利用可能な時間情報から，通信需要が発生した場合に，受信先通信装置で利用可能な時間を予約することで，短時間のうちに予約を設定することができる。
【０１４１】
コンテンションベースのアクセス制御を行うために，１つのスーパーフレームに限定した予約を一時的に行うことで，無駄な予約の設定が後々まで波及しない，効果的な予約プロトコルが実現できる。
【０１４２】
以上，添付図面を参照しながら本発明にかかる無線通信システム，無線通信装置，およびコンピュータプログラムの好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【０１４３】
（産業上の利用可能性）
本発明は，無線通信システム，無線通信装置，およびコンピュータプログラムに利用可能であり，特に，事前に予約した帯域でプライオリタイズド・チャネル・アクセス（ＰＣＡ）を行うための無線通信システム，無線通信装置，およびコンピュータプログラムに利用可能である。
【図面の簡単な説明】
【０１４４】
【図１】無線アドホックネットワークの構成例を示す説明図である。
【図２】スーパーフレームの構成例を示す説明図である。
【図３】ビーコンスロットの利用設定例を示す説明図である。
【図４】ＰＣＡによる通信制御の実施例を示す説明図である。
【図５】ソフトＤＲＰによる通信制御の実施例を示す説明図である。
【図６】ハードＤＲＰによる通信制御の実施例を示す説明図である。
【図７】ＤＲＰ予約の設定を行う判断条件を示す説明図である。
【図８】ＰＣＡ予約の設定を行う判断条件を示す説明図である。
【図９】無線通信装置の構成例を示す説明図である。
【図１０】アクセスカテゴリーごとのＡＩＦＳ時間の構成例を示す説明図である。
【図１１】ビーコンフレームの構成例を示す説明図である。
【図１２】予約ＭＡＳ情報の構成例を示す説明図である。
【図１３】予約タイプの記載内容例を示す説明図である。
【図１４】理由コードの記載内容例を示す説明図である。
【図１５】ＤＲＰ予約の通信シーケンスの一例を示す説明図である。
【図１６】ＰＣＡ予約の通信シーケンスの一例を示す説明図である。
【図１７】無線通信装置の動作フローを示す説明図である。
【符号の説明】
【０１４５】
６１  ＭＡＣヘッダ情報
６２  ヘッダーチェックシーケンス（ＨＣＳ）
６３  ビーコンペイロード情報
６４  フレームチェックシーケンス（ＦＣＳ）
６０１  フレーム制御情報
６０２  届け先情報
６０３  送り元情報
６０４  シーケンス管理制御
６０５  アクセス制御情報
６０６  ビーコン固有情報
６０７  ビーコン期間利用状況
６０８  能力情報
６０９  送信表示
６１０  利用可能ＭＡＳ情報
６１１  予約ＭＡＳ情報
７１  エレメントＩＤ
７２  情報長
７３  予約制御情報
７４  ターゲット／オーナーデバイスアドレス
７５  予約割当て情報
７０１  予約タイプ
７０２  予約優先度
７０３  ストリームインデックス
７０４  理由コード
７０５  予約状態
７０６  オーナー識別
７０７  未使用
７５１  ゾーンビットマップ
７５２  ＭＡＳビットマップ
８０１  アンテナ
８０２  高周波無線処置部
８０３  物理層ベースバンド部
８０４  ビーコン信号解析部
８０５  ビーコン生成部
８０６  パラメータ格納部
８０７  ＭＡＳアクセス設定部
８０８  送受信制御部
８０９  制御信号設定部
８１０  制御信号解析部
８１１  データバッファ
８１２  バッファ管理部
８１３  アプリケーションインタフェース
８１４  ユーザインタフェース
８１５  ＣＰＵ
【図１】
0004715433.tif 000002
【図２】
0004715433.tif 000003
【図３】
0004715433.tif 000004
【図４】
0004715433.tif 000005
【図５】
0004715433.tif 000006
【図６】
0004715433.tif 000007
【図７】
0004715433.tif 000008
【図８】
0004715433.tif 000009
【図９】
0004715433.tif 000010
【図１０】
0004715433.tif 000011
【図１１】
0004715433.tif 000012
【図１２】
0004715433.tif 000013
【図１３】
0004715433.tif 000014
【図１４】
0004715433.tif 000015
【図１５】
0004715433.tif 000016
【図１６】
0004715433.tif 000017
【図１７】
0004715433.tif 000018